(57)【特許請求の範囲】
【請求項１】
箱形カットアウト（１００）に取り付けられるヒューズ筒（２００）のヒューズを交換する際に使用するためのカットアウト操作棒（１０）であって、
把手（１１）と、
末端が前記把手の先端に固定された絶縁棒（１２）と、
末端が前記絶縁棒の先端に取り付けられたフック棒（１３）と、
前記絶縁棒の先端部に形成された取付穴に取り付けられた、かつ、中央部に前記ヒューズ筒の第１の接触刃（２４１）を挿入して貫通させるための挿入孔（１４ａ）が形成されたヒューズ筒着脱具（１４）と、
該ヒューズ筒着脱具内に取り付けられた、かつ、前記第１の接触刃を挟持するための第１および第２のカム状部材（１５，１６）と、
を具備することを特徴とする、カットアウト操作棒。
【請求項２】
前記第１および第２のカム状部材が、大きさおよび形状が同じであり、前記挿入孔の縦方向中心線を対象軸として線対象となるように該挿入孔の前記把手側の端部に回動自在に第１および第２の取付ピンでそれぞれ軸支されていることを特徴とする、請求項１記載のカットアウト操作棒。
【請求項３】
前記第１および第２のカム状部材が、前記挿入孔の縦方向中心線に向かってそれぞれ回動させると、前記ヒューズ筒の前記第１の接触刃の両接触面にそれぞれ当接して該第１の接触刃を挟持する間隔をもって取り付けられていることを特徴とする、請求項２記載のカットアウト操作棒。
【請求項４】
前記挿入孔が、前記絶縁棒の軸方向を縦方向とする長方形の開口面を有し、
前記挿入孔の幅が、前記第１の接触刃の厚さの２倍とされている、
ことを特徴とする、請求項１乃至３いずれかに記載のカットアウト操作棒。
【発明の詳細な説明】
【技術分野】
【０００１】
本発明は、箱形カットアウトのヒューズ交換作業に使用するのに好適なカットアウト操作棒に関する。
【背景技術】
【０００２】
電柱に設置された変圧器には、回路（第１および第２の電線Ｗ１，Ｗ２）に過剰電流が流れるとヒューズによって回路を切断するために、図４に示すような箱形カットアウト１００（箱形高圧カットアウト）が設けられている。
【０００３】
箱形カットアウト１００は、本体１１０と、蓋体１２０と、支持金具１３０とを備える（たとえば、下記の特許文献１参照）。
なお、以下では、説明の簡単のために、本体１１０の支持金具１３０が取り付けられている面を「上面」とし、本体１１０の上面と互いに対向する面を「底面」とし、本体１１０の第１の電線Ｗ１側の面を「前面」とし、本体１１０の第２の電線Ｗ２側の面を「裏面」とし、本体１１０の図４紙面側の面を「左側面」とし、本体１１０の同図紙面と反対側の面を「右側面」とする。蓋体１２０についても同様である。
【０００４】
本体１１０は、箱状に形成された碍子で外殻が構成されている。また、本体１１０の前面側には、商用電源に接続された第１の電線Ｗ１が本体１１０の左右側面を貫通するように通されているとともに、本体１１０の裏面側には、負荷装置に接続された第２の電線Ｗ２が本体１１０の左右側面を貫通するように通されている。本体１１０の底面は開口面とされており、蓋体１２０を閉じることにより後述のヒューズ筒２００を本体１１０にセットすることができるようにされている。
蓋体１２０は、碍子で外殻が構成されている。また、蓋体１２０は、本体１１０の裏面側に取り付けられたピン１１１によって回動自在に軸支されている。蓋体１２０の底面の前面側には、蓋体１２０を開閉するためのフック１２１が取り付けられている。蓋体１２０の前面側の内部には、図５（ｃ）に示すように、ヒューズ筒２００の後述の左側および右側爪２３１Ｌ，２３１Ｒをそれぞれ挿入するための２本の溝が左右側面に形成されたヒューズ筒保持金具１２２が固定されている。
支持金具１３０は、箱形カットアウト１００を変圧器と共に電柱に設置するためのものであり、本体１１０の上面に取り付けられている。
【０００５】
ヒューズ筒２００は、図５（ａ）〜（ｃ）に示すように、円筒状の消弧筒２１０と、キャップ２２０とを備える。
なお、以下では、説明の簡単のために、消弧筒２１０の図５（ａ）図示右側の端を「末端」とし、消弧筒２１０の同図図示左側の端を「先端」とし、消弧筒２１０の同図紙面側を「上側」とし、消弧筒２１０の同図紙面と反対側を「下側」とし、消弧筒２１０の同図図示下側を「左側」とし、消弧筒２１０の同図図示上側を「右側」とする。第１および第２の導電金具２３１，２３２およびブッシュ２５０についても同様である。
【０００６】
消弧筒２１０は、絶縁性の合成樹脂から構成されている。
キャップ２２０は、消弧筒２１０の末端に取り付けられている。キャップ２２０を消弧筒２１０から外すことにより、ヒューズを消弧筒２１０に収容したり消弧筒２１０から取り出したりすることができるようにされている。
消弧筒２１０の末端部および中央部の外周面には、消弧筒２１０に収容されたヒューズの両端とそれぞれ電気的に接続される第１および第２の導電金具２３１，２３２がそれぞれ固定されている。
第１の導電金具２３１の左右両側には、左側および右側爪２３１Ｌ，２３２Ｒがそれぞれ取り付けられている。また、第１および第２の導電金具２３１，２３２の外周面の上側には、厚さ１．５ｍｍの長方形板状の第１および第２の接触刃（ブレードコンタクト）２４１，２４２が、接触面（板面）が同一平面上となるように、かつ、長手方向が消弧筒２１０の径方向となるようにそれぞれ取り付けられている。
消弧筒２１０の先端部には、絶縁性の合成樹脂からなる円筒状のブッシュ２５０が固定されており、ヒューズが切れると表示筒２７０がブッシュ２５０の先端部から離れるようにされている。
消弧筒２１０の先端部の外周面の上側には、消弧筒２１０内に収容されたヒューズを固定するためのヒューズ締付ネジ２６０が取り付けられている。
【０００７】
ヒューズ筒２００は、図４に破線で示すように第１および第２の接触刃２４１，２４２が上となるようにヒューズ筒保持金具１２２（図５（ｃ）参照）によって保持されて蓋体１２０に装着され、同図に実線で示すように蓋体１２０を閉じると、第１の接触刃２４１が本体１１０の内部の第１の接触子（不図示）に接触して第１の電線Ｗ１に電気的に接続されるとともに、第２の接触刃２４２が本体１１０の内部の第２の接触子（不図示）に接触して第２の電線Ｗ２に電気的に接続されるようにされている。
【０００８】
ヒューズ筒２００の内部のヒューズが切れたときのヒューズ交換作業に用いるカットアウト操作棒３００は、図６（ａ），（ｂ）に示すように、円柱状の把手３１０と、円柱状の絶縁棒３２０と、先端部が球形状とされた円柱状のフック棒３３０と、ヒューズ筒着脱具３４０とを備える。
なお、以下では、説明の簡単のために、カットアウト操作棒３００の図６（ａ）図示右側の端を「末端」とし、カットアウト操作棒３００の同図図示左側の端を「先端」とし、カットアウト操作棒３００の同図紙面側を「上側」とし、ヒューズ筒２００の同図紙面と反対側を「下側」とする。
【０００９】
絶縁棒３２０は、中心軸が把手３１０の中心軸と一致するように、末端が把手３１０の先端に固定されている。
フック棒３３０は、図６（ｂ）に示すように、絶縁棒３２０の下側に向かって直角に曲げられて、末端が絶縁棒３２０の先端に一体的に取り付けられている。
ヒューズ筒着脱具３４０は、絶縁棒３２０の先端部の上側に形成された取付穴にネジで取り付けられている。ヒューズ筒着脱具３４０の中央部には、ヒューズ筒２００の第１の接触刃２４１を挿入して貫通させるための挿入孔３４０ａ（絶縁棒３２０の軸方向を縦方向とする長方形の開口面を有する。）が形成されている。
【００１０】
カットアウト操作棒３００の長さ（把手３１０の末端から絶縁棒３２０の先端までの長さ）は４７０ｍｍであり、挿入孔３４０ａの開口面の長さ（縦方向の長さ）および幅（横方向の長さ）は１８ｍｍおよび２．５ｍｍである。
【００１１】
ヒューズ筒２００の内部のヒューズが切れたときのヒューズ交換作業は、以下のようにして行われている。
作業員は、高圧ゴム手袋を着用して、箱形カットアウト１００が設置された電柱に昇ったのち、カットアウト操作棒３００の把手３１０を片手で握って操作し、カットアウト操作棒３００のフック棒３３０の先端部を箱形カットアウト１００のフック１１２に引っ掛けて手前に引くことにより箱形カットアウト１００の蓋体１２０を開く。
続いて、作業員は、カットアウト操作棒３００を操作し、ヒューズ筒着脱具３４０の挿入孔３４０ａにヒューズ筒２００の第１の接触刃２４１をカットアウト操作棒３００の上側から挿入して貫通させる。
続いて、作業員は、カットアウト操作棒３００をヒューズ筒２００の長手方向に沿って押し上げ、ヒューズ筒２００を蓋体１２０のヒューズ筒保持金具１２２から取り外したのちに、ヒューズ筒２００が落下しないようにカットアウト操作棒３００を操作しながらヒューズ筒２００を蓋体１２０から取り出す。
続いて、作業員は、カットアウト操作棒３００を引き寄せ、ヒューズ筒２００の第１の接触刃２４１を挿入孔３４０ａから抜いて、ヒューズ筒２００とカットアウト操作棒３００とを離す。
続いて、作業員は、ヒューズ筒２００のキャップ２２０（図５（ａ）参照）を開き、切れたヒューズを取り出し、新しいヒューズをヒューズ筒２００内に収容したのち、ヒューズ筒２００のキャップ２２０を閉じる。
続いて、作業員は、カットアウト操作棒３００を操作し、ヒューズ筒２００の第１の接触刃２４１をヒューズ筒着脱具３４０の挿入孔３４０ａにカットアウト操作棒３００の上側から挿入して貫通させる。
続いて、作業員は、ヒューズ筒２００が落下しないようにカットアウト操作棒３００を操作しながらヒューズ筒２００を蓋体１２０内に収納させる。
続いて、作業員は、カットアウト操作棒３００をヒューズ筒２００の長手方向に沿って引き下げ、ヒューズ筒２００を蓋体１２０のヒューズ筒保持金具１２２に装着して保持させる。
続いて、作業員は、カットアウト操作棒３００を操作し、ヒューズ筒着脱具３４０の挿入孔３４０ａからヒューズ筒２００の第１の接触刃２４１を抜き、ヒューズ筒２００とカットアウト操作棒３００とを離したのち、カットアウト操作棒３００のフック棒３３０の先端部を箱形カットアウト１００のフック１１２に引っ掛けて押し上げることにより箱形カットアウト１００の蓋体１２０を閉じる。
【００１２】
このように、作業員は、ヒューズ筒２００が落下しないようにカットアウト操作棒３００を操作してヒューズ交換作業を行うが、カットアウト操作棒３００におけるヒューズ筒２００の保持は第１の接触刃２４１をヒューズ筒着脱具３４０の挿入孔３４０ａに挿入して貫通させるだけで行うため、ヒューズ筒２００が落下し易いという問題がある。
【００１３】
そのため、本出願人は、下記の特許文献２において、ヒューズ筒の接触刃を嵌合する嵌合部を固定部および稼動部で構成して、ギアを用いて稼働部を直線状または円弧状に稼働させることにより接触刃を把持するようにした、箱形カットアウト用のカットアウト操作棒を提案している。
【先行技術文献】
【特許文献】
【００１４】
【特許文献１】特開２０１１−０４８９２７号公報
【特許文献２】特開２０１０−２４４８２６号公報
【発明の概要】
【発明が解決しようとする課題】
【００１５】
しかしながら、カットアウト操作棒３００では、上述した問題のほかに、以下の要因によりヒューズ筒２００の第１の接触刃２４１をヒューズ筒着脱具３４０の挿入孔３４０ａに挿入したり挿入孔３４０ａから抜いたりする際に時間がかかるという問題もあった。
（要因１）第１の接触刃２４１の角度と挿入孔３４０ａとの角度を一致させて、その角度を維持したまま第１の接触刃２４１を挿入孔３４０ａに挿入したり挿入孔３４０ａから抜いたりする必要がある。
（要因２）箱形カットアウト１００の蓋体１２０に力が加わることで、上述した角度の不一致が生じる。
（要因３）挿入孔３４０ａの幅（＝２．５ｍｍ）が第１の接触刃２４１の厚さ（＝１．５ｍｍ）の１．６７倍（＝２．５／１．５）程度と狭い。
【００１６】
また、上記の特許文献２で提案したカットアウト操作棒は、カットアウト操作棒３００のようにヒューズ筒把持手段を有しないものと比べるとヒューズ筒３００の落下を防止できる点で優れているが、稼働部を直線状または円弧状に稼働させるための操作部を棒状部に設けて、作業員は一方の手でカットアウト操作棒を持ちながら他方の手で操作部を操作して稼働部を稼働させる必要があるため、部品点数が多くなるとともに作業性もあまり良くないという問題がある。
【００１７】
本発明の目的は、簡単な構成でありかつ箱形カットアウトのヒューズ交換作業の作業性の向上が図れるカットアウト操作棒を提供することにある。
【課題を解決するための手段】
【００１８】
本発明のカットアウト操作棒は、箱形カットアウト（１００）に取り付けられるヒューズ筒（２００）のヒューズを交換する際に使用するためのカットアウト操作棒（１０）であって、把手（１１）と、末端が前記把手の先端に固定された絶縁棒（１２）と、末端が前記絶縁棒の先端に取り付けられたフック棒（１３）と、前記絶縁棒の先端部に形成された取付穴に取り付けられた、かつ、中央部に前記ヒューズ筒の第１の接触刃（２４１）を挿入して貫通させるための挿入孔（１４ａ）が形成されたヒューズ筒着脱具（１４）と、該ヒューズ筒着脱具内に取り付けられた、かつ、前記第１の接触刃を挟持するための第１および第２のカム状部材（１５，１６）とを具備することを特徴とする。
ここで、前記第１および第２のカム状部材が、大きさおよび形状が同じであり、前記挿入孔の縦方向中心線を対象軸として線対象となるように該挿入孔の前記把手側の端部に回動自在に第１および第２の取付ピンでそれぞれ軸支されていてもよい。
前記第１および第２のカム状部材が、前記挿入孔の縦方向中心線に向かってそれぞれ回動させると、前記ヒューズ筒の前記第１の接触刃の両接触面にそれぞれ当接して該第１の接触刃を挟持する間隔をもって取り付けられていてもよい。
前記挿入孔が、前記絶縁棒の軸方向を縦方向とする長方形の開口面を有し、前記挿入孔の幅が、前記第１の接触刃の厚さの２倍とされていてもよい。
【発明の効果】
【００１９】
本発明のカットアウト操作棒は、以下に示す効果を奏する。
（１）ヒューズ筒の第１の接触刃を挟持するための第１および第２のカム状部材をヒューズ筒着脱具内に取り付けるだけでよいため、簡単な構成とすることができる。
（２）第１および第２のカム状部材でヒューズ筒の第１の接触刃を挟持できるため、作業員はヒューズ筒の落下をあまり気にせずに作業を行うことができるので、ヒューズ交換作業の作業性を向上させることができる。
（３）ヒューズ筒着脱具の挿入孔の幅をヒューズ筒の第１の接触刃の厚さの２倍にすることができるため、ヒューズ筒の脱着を容易にすることができる。
（４）ヒューズ筒取付時の第１の接触刃の変形などを軽減することができる。
【図面の簡単な説明】
【００２０】
【図１】本発明の一実施例によるカットアウト操作棒１０の構成を示す上面図である。
【図２】図１に示したカットアウト操作棒１０の使用方法について説明するための図である。
【図３】図１に示したカットアウト操作棒１０の使用方法について説明するための図である。
【図４】箱形カットアウト１００の構成を示す図である。
【図５】図４に示したヒューズ筒２００の構成を示す図であり、（ａ）はヒューズ筒２００の上面図であり、（ｂ）はヒューズ筒２００の側面図であり、（ｃ）は左側および右側爪２３１Ｌ，２３１Ｒの機能を説明するための図である。
【図６】従来のカットアウト操作棒３００の構成を示す図であり、（ａ）はカットアウト操作棒３００の上面図、（ｂ）はカットアウト操作棒３００の側面図である。
【発明を実施するための形態】
【００２１】
上記の目的を、ヒューズ筒の第１の接触刃を挟持するための第１および第２のカム状部材をヒューズ筒着脱具内に取り付けることにより実現した。
【実施例１】
【００２２】
以下、本発明のカットアウト操作棒の実施例について図面を参照して説明する。
本発明の一実施例によるカットアウト操作棒１０は、図１に示すように、第１および第２のカム状部材１５，１６がヒューズ筒着脱具１４内に取り付けられている点と、ヒューズ筒着脱具１４の挿入孔１４ａの幅（横方向の長さ）が３．０ｍｍとヒューズ筒２００の第１の接触刃２４１の厚さ（＝１．５ｍｍ）の２倍（＝３．０／１．５）程度とされている点で、図６（ａ），（ｂ）に示したカットアウト操作棒３００と相違する。
【００２３】
ここで、第１および第２のカム状部材１５，１６は、大きさおよび形状が同じものであり、挿入孔１４ａの縦方向中心線を対象軸として線対象となるように、挿入孔１４ａの把手１１側の端部に回動自在に第１および第２の取付ピンでそれぞれ軸支されている。
また、第１および第２のカム状部材１５，１６は、第１および第２の取付ピンを中心に挿入孔１４ａの縦方向中心線に向かってそれぞれ回動させると、図２（ｂ）に示すようにヒューズ筒２００の第１の接触刃２４１の両接触面（両板面）にそれぞれ当接して第１の接触刃２４１を挟持する間隔をもって取り付けられている。
【００２４】
次に、カットアウト操作棒１０を用いて箱形カットアウト１００のヒューズ交換作業を行うときの作業手順について、ヒューズ筒着脱具１４の挿入孔１４ａをカットアウト操作棒１０の上側から見た図である図２（ａ），（ｂ）および図３（ａ），（ｂ）を参照して説明する。
なお、以下では、説明の簡単のために、カットアウト操作棒１０の図１図示右側の端を「末端」とし、カットアウト操作棒１０の同図図示左側の端を「先端」とし、カットアウト操作棒１０の同図紙面側を「上側」とし、カットアウト操作棒１０の同図紙面と反対側を「下側」とする。
【００２５】
作業員は、高圧ゴム手袋を着用して、箱形カットアウト１００が設置された電柱に昇ったのち、カットアウト操作棒１０の把手１１を片手で握って操作し、カットアウト操作棒１０のフック棒１３の先端部を箱形カットアウト１００のフック１１２に引っ掛けて手前に引くことにより箱形カットアウト１００の蓋体１２０を開く。
【００２６】
続いて、作業員は、カットアウト操作棒１０を操作し、ヒューズ筒着脱具１４の挿入孔１４ａにヒューズ筒２００の第１の接触刃２４１をカットアウト操作棒１０の上側から挿入して貫通させる（図２（ａ）参照）。
このとき、挿入孔１４ａの幅（＝３．０ｍｍ）は第１の接触刃２４１の厚さ（＝１．５ｍｍ）の２倍程度とされているため、第１の接触刃２４１の角度と挿入孔１４ａとの角度が多少ずれていても第１の接触刃２４１を挿入孔１４ａに挿入することができる。
【００２７】
続いて、作業員は、カットアウト操作棒１０をヒューズ筒２００の長手方向に沿って押し上げ、ヒューズ筒２００を蓋体１２０のヒューズ筒保持金具１２２（図５（ｃ）参照）から取り外したのちに、カットアウト操作棒１０を操作しながらヒューズ筒２００を蓋体１２０から取り出す。
このとき、挿入孔１４ａは図２（ｂ）に矢印で示すように第１の接触刃２４１に対して把手１１側からフック側１３に向かって直線的に移動するため、第１および第２のカム状部材１５，１６は、第１の接触刃２４１の把手１１側の端部によって押されて、同図に矢印で示すように第１および第２の取付ピンを中心に挿入孔１４ａの縦方向中心線に向かってそれぞれ回動する。
その結果、第１の接触刃２４１の両接触面が第１および第２のカム状部材１５，１６にそれぞれ当接し、第１の接触刃２４１が第１および第２のカム状部材１５，１６によって挟持されるため、作業員はヒューズ筒２００が落下することをあまり気にせずに作業することができる。
【００２８】
続いて、作業員は、カットアウト操作棒１０を引き寄せ、ヒューズ筒２００の第１の接触刃２４１を挿入孔１４ａから抜き、ヒューズ筒２００とヒューズ筒着脱具１４とを離す。
【００２９】
続いて、作業員は、ヒューズ筒２００のキャップ２２０（図５（ａ）参照）を開き、切れたヒューズを取り出し、新しいヒューズをヒューズ筒２００内に収容したのち、ヒューズ筒２００のキャップ２２０を閉じる。
【００３０】
続いて、作業員は、カットアウト操作棒１０を操作し、ヒューズ筒着脱具１４の挿入孔１４ａにヒューズ筒２００の第１の接触刃２４１をカットアウト操作棒１０の上側から挿入して貫通させる（図２（ａ）参照）。
【００３１】
続いて、作業員は、ヒューズ筒２００をカットアウト操作棒１０の把手１１側にスライドさせる。
これにより、挿入孔１４ａはヒューズ筒２００の第１の接触刃２４１に対して把手１１側からフック側１３に向かって直線的に移動するため、第１および第２のカム状部材１５，１６は、第１の接触刃２４１の把手１１側の端部によって押されて、第１および第２の取付ピンを中心に挿入孔１４ａの縦方向中心線に向かってそれぞれ回動する（図２（ｂ）参照）。
その結果、ヒューズ筒２００の第１の接触刃２４１の両接触面が第１および第２のカム状部材１５，１６にそれぞれ当接し、第１の接触刃２４１が第１および第２のカム状部材１５，１６によって挟持される（図３（ａ）参照）。
【００３２】
続いて、作業員は、カットアウト操作棒１０を操作しながらヒューズ筒２００を蓋体１２０内に収納させる。
このとき、ヒューズ筒２００の第１の接触刃２４１は第１および第２のカム状部材１５，１６によって挟持されているため、作業員はヒューズ筒２００が落下することをあまり気にせずに作業することができる。
【００３３】
続いて、作業員は、カットアウト操作棒１０をヒューズ筒２００の長手方向に沿って引き下げ、ヒューズ筒２００を蓋体１２０のヒューズ筒保持金具１２１に装着させて保持させる。
このとき、挿入孔１４ａは図３（ｂ）に矢印で示すようにヒューズ筒２００の第１の接触刃２４１に対してフック側１３から把手１１側に向かって直線的に移動するため、第１および第２のカム状部材１５，１６は、第１の接触刃２４１の把手１１側の端部によって押されて、同図に矢印で示すように第１および第２の取付ピンを中心に挿入孔１４ａの縦方向中心線から離れる方向に向かってそれぞれ回動する。
その結果、第１の接触刃２４１は第１および第２のカム状部材１５，１６から離れるため、ヒューズ筒２００をカットアウト棒１０から取り外せるようにできる。
【００３４】
続いて、作業員は、カットアウト操作棒１０を操作し、ヒューズ筒着脱具３４０の挿入孔１４ａからヒューズ筒２００の第１の接触刃２４１を抜いたのち、カットアウト操作棒１０のフック棒１３の先端部を箱形カットアウト１００のフック１１２に引っ掛けて押し上げることにより箱形カットアウト１００の蓋体１２０を閉じる。
【００３５】
以上説明したように、本実施例によるカットアウト操作棒１０を用いることにより、作業員は箱形カットアウト１００のヒューズ交換作業を容易に行うことができる。
【符号の説明】
【００３６】
１０，３００  カットアウト操作棒
１１，３１０  把手
１２，３２０  絶縁棒
１３，３３０  フック棒
１４，３４０  ヒューズ筒着脱具
１４ａ，３４０ａ  挿入孔
１５，１６  第１および第２のカム状部材
１１０  本体
１１１  ピン
１２０  蓋体
１２１  フック
１２２  ヒューズ筒保持金具
１３０  支持金具
２００  ヒューズ筒
２１０  消弧筒
２２０  キャップ
２３１，２３２  第１および第２の導電金具
２３１Ｌ，２３２Ｒ  左側および右側爪
２４１，２４２  第１および第２の接触刃
２５０  ブッシュ
２６０  ヒューズ締付ネジ
Ｗ１，Ｗ２  第１および第２の電線
【図１】
0005763568.tif 000002
【図２】
0005763568.tif 000003
【図３】
0005763568.tif 000004
【図４】
0005763568.tif 000005
【図５】
0005763568.tif 000006
【図６】
0005763568.tif 000007